(57)【要約】【課題】換気装置の交換作業を容易に行うこと。【解決手段】建具１は、長尺状の複数の枠部材２１〜２４を枠組みすることにより構成された枠体２と、室内外を通気する通気孔を有する換気装置５とを備える。複数の枠部材２１〜２４は、それぞれ溶着することにより枠組みされる。換気装置５は、複数の枠部材２１〜２４のうち上枠２１の長手方向に延在し、当該上枠２１における枠体２の内周側の面に取り付けられる。【選択図】図１
2018193769.tif 000002
【特許請求の範囲】
【請求項１】
室内外を仕切る建具であって、
長尺状の複数の枠部材を枠組みすることにより構成された枠体と、
室内外を通気する通気孔を有する換気装置とを備え、
前記複数の枠部材は、
それぞれ溶着することにより枠組みされ、
前記換気装置は、
前記複数の枠部材のうちいずれかの枠部材の長手方向に延在し、当該いずれかの枠部材における前記枠体の内周側の面に取り付けられている
ことを特徴とする建具。
【請求項２】
前記いずれかの枠部材における前記枠体の内周側の面と前記換気装置とには、
互いに係合する係合構造が設けられている
ことを特徴とする請求項１に記載の建具。
【請求項３】
前記換気装置は、
前記いずれかの枠部材における前記枠体の内周側の面に取り付けられたブラケットを介して、当該内周側の面に対して締結部材にて固定される
ことを特徴とする請求項１または２に記載の建具。
【請求項４】
前記換気装置における前記枠体の内周側の面は、
前記いずれかの枠部材における前記枠体の内周側の面と同一の断面形状を有する
ことを特徴とする請求項１〜３のいずれか一つに記載の建具。
【請求項５】
前記換気装置は、
前記枠体の見込み寸法以下の見込み寸法を有する
ことを特徴とする請求項１〜４のいずれか一つに記載の建具。
【発明の詳細な説明】
【技術分野】
【０００１】
本発明は、室内外を仕切る建具に関する。
【背景技術】
【０００２】
従来、引違い窓等の建具において、室内外を通気する通気孔を有する換気装置を上枠に取り付けた構造が知られている（例えば、特許文献１参照）。
特許文献１に記載の建具では、上枠の上方にもう一つの上枠を所定距離隔てて取り付け、上下の上枠の間に換気装置を取り付けている。また、上下の上枠と、下枠と、左右の縦枠とは、ビス止めにより四周枠組みされている。
【先行技術文献】
【特許文献】
【０００３】
【特許文献１】特許第３３４０９０９号公報
【発明の概要】
【発明が解決しようとする課題】
【０００４】
しかしながら、特許文献１に記載の建具では、換気装置は、上下の上枠の間に取り付けられている。また、上下の上枠は、左右の縦枠に対してビス止めにより固定されている。このため、換気装置を交換する際には、ビスを外して上下の上枠を左右の縦枠から取り外し、さらに、上下の上枠から当該換気装置を取り外す必要がある。したがって、換気装置の交換作業が煩雑化してしまう、という問題がある。
【０００５】
本発明は、上記実情に鑑みて、換気装置の交換作業を容易に行うことができる建具を提供することを目的とする。
【課題を解決するための手段】
【０００６】
上記目的を達成するため、本発明に係る建具は、室内外を仕切る建具であって、長尺状の複数の枠部材を枠組みすることにより構成された枠体と、室内外を通気する通気孔を有する換気装置とを備え、前記複数の枠部材は、それぞれ溶着することにより枠組みされ、前記換気装置は、前記複数の枠部材のうちいずれかの枠部材の長手方向に延在し、当該いずれかの枠部材における前記枠体の内周側の面に取り付けられていることを特徴とする。
【０００７】
以下、説明の便宜上、複数の枠部材のうち、換気装置が取り付けられる枠部材を被装着枠部材と記載する。
本発明では、換気装置は、被装着枠部材における枠体の内周側の面に取り付けられている。このため、複数の枠部材が枠組みされた状態を維持しつつ、枠体（被装着枠部材）から換気装置を取り外すことができる。したがって、本発明に係る建具によれば、換気装置の交換作業を容易に行うことができる、という効果を奏する。
【０００８】
ところで、例えば、複数の枠部材が各小口同士を突き合わせて溶着することにより枠組みされた構成において、当該複数の枠部材のうちいずれかの枠部材に換気装置を一体的に構成した場合には、以下の問題がある。
当該場合には、換気量を確保するために、換気装置を一体的に構成した枠部材の見付け幅を大きく設定する必要がある。また、複数の枠部材をそれぞれ溶着することにより枠組みする構成では、各枠部材の断面形状を略同一に設定する必要がある。このため、換気装置を一体的に構成した枠部材に合わせて他の枠部材の見付け幅も大きくなることとなり、コストアップや外観品質の劣化等の問題がある。
これに対して、本発明では、換気装置は、複数の枠部材がそれぞれ溶着することにより枠組みされた枠体に対して別体とされ、被装着枠部材における当該枠体の内周側の面に取り付けられている。このため、枠体の見付け幅が大きくなることがなく、上述したコストアップや外観品質の劣化等の問題が生じることがない。
【０００９】
また、本発明は、上述した建具において、前記いずれかの枠部材における前記枠体の内周側の面と前記換気装置とには、互いに係合する係合構造が設けられていることを特徴とする。
本発明によれば、上述した係合構造を設けているため、当該係合構造を利用して、被装着枠部材における枠体の内周側の面に対して換気装置を容易に取り付けることができる。
【００１０】
また、本発明は、上述した建具において、前記換気装置は、前記いずれかの枠部材における前記枠体の内周側の面に取り付けられたブラケットを介して、当該内周側の面に対して締結部材にて固定されることを特徴とする。
本発明によれば、上述したブラケットを介して被装着枠部材における枠体の内周側の面に対して換気装置を締結部材にて固定するため、当該換気装置の取付強度を十分に確保することができる。
【００１１】
また、本発明は、上述した建具において、前記換気装置における前記枠体の内周側の面は、前記いずれかの枠部材における前記枠体の内周側の面と同一の断面形状を有することを特徴とする。
本発明によれば、換気装置における枠体の内周側の面と被装着枠部材における枠体の内周側の面とを同一の断面形状に設定しているため、枠体に対して換気装置を取り付けた場合と取り付けていない場合とで、当該枠体内に配置される部材の断面形状を変更する必要がない。例えば、枠体を窓枠で構成した場合には、当該窓枠内に障子が配置されることとなる。そして、換気装置における枠体の内周側の面と被装着枠部材における枠体の内周側の面とを同一の断面形状に設定しているため、窓枠に対して換気装置を取り付けた場合と取り付けていない場合とで、障子の断面形状を変更する必要がない。
【００１２】
また、本発明は、上述した建具において、前記換気装置は、前記枠体の見込み寸法以下の見込み寸法を有することを特徴とする。
本発明によれば、換気装置の見込み寸法を上述した寸法に設定することで、シャッタ等の建具回りの設備を設置した場合であっても、当該設備が当該換気装置に引っ掛かることがなく、当該設備を併用することができる。
【発明の効果】
【００１３】
本発明に係る建具によれば、換気装置の交換作業を容易に行うことができる、という効果を奏する。
【図面の簡単な説明】
【００１４】
【図１】本実施の形態に係る建具を室内側から見た図である。
【図２】建具の上方側を示す縦断面図である。
【図３】建具の下方側を示す縦断面図である。
【図４】建具の横断面図である。
【図５】換気装置を示す斜視図である。
【図６】操作摘みを閉鎖位置に位置付けた状態での換気装置の縦断面図である。
【図７】操作摘みを開放位置に位置付けた状態での換気装置の縦断面図である。
【図８】上枠に対する換気装置の取付方法を説明する図である。
【発明を実施するための形態】
【００１５】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１６】
図１は、本実施の形態に係る建具１を室内側から見た図である。図２は、建具１の上方側を示す縦断面図である。図３は、建具１の下方側を示す縦断面図である。図４は、建具１の横断面図である。
なお、以下で記載する「見込み方向」は、図２ないし図４の矢印Ａｒで示すように、建具１の奥行きに沿った方向である。見込み方向に沿った平面については、見込み面と称し、見込み方向に直交する平面については、見付け面と称する場合がある。
建具１は、引違い窓で構成され、窓枠２と、外障子３と、内障子４とを備える。
【００１７】
窓枠２は、上枠２１、下枠２２、図１，図４中、左側に位置する左縦枠２３、及び図１，図４中、右側に位置する右縦枠２４を四周枠組みすることによって構成され、建物の開口部Ｏｐ（図１）の縁部に沿うように取り付けられる。そして、窓枠２は、本発明に係る枠体に相当する。また、上枠２１、下枠２２、左縦枠２３、及び右縦枠２４は、本発明に係る枠部材に相当する。
これら各枠部材２１〜２４は、塩化ビニル樹脂（ＰＶＣ）等の樹脂製の押出形材であり、全長に亘って略同一の断面形状を有する。
【００１８】
上枠２１は、基体２１１と、第１〜第４壁部２１２〜２１５と、第１，第２固定用ヒレ部２１６，２１７とを備える（図２）。
基体２１１は、開口部Ｏｐの縁部に沿って延在した角筒形状を有する。
第１，第２壁部２１２，２１３は、基体２１１における室外側の端部及び室内側の端部からそれぞれ下方側に突出した部分である。
第３，第４壁部２１４，２１５は、第１，第２壁部２１２，２１３の間に位置し、基体２１１の下方側の見込み面から下方側にそれぞれ突出した部分であり、見込み方向に並設されている。
第１固定用ヒレ部２１６は、基体２１１の上方側の見込み面から上方側に突出し、ネジ（図示略）により建物の躯体（図示略）に固定される部分である。
第２固定用ヒレ部２１７は、第２壁部２１３の室内側の見付け面から室内側に突出し、窓枠２に対して室内側に並設される内装材（図示略）に対してネジ（図示略）により固定される部分である。
【００１９】
下枠２２、左縦枠２３、及び右縦枠２４は、上枠２１とそれぞれ略同一の断面形状を有する（図３，図４）。このため、下枠２２、左縦枠２３、及び右縦枠２４の構成については、上枠２１と同様の構成に同一の符号を付してその詳細な説明を省略する。
なお、下枠２２において、第３壁部２１４の先端には、外障子３を移動可能に支持するレール部２１４ａが取り付けられている。同様に、第４壁部２１５の先端には、内障子４を移動可能に支持するレール部２１５ａが取り付けられている。
【００２０】
以上説明した各枠部材２１〜２４の各小口２１ａ〜２４ａは、当該各枠部材２１〜２４の長手方向に対して４５°の角度を成すようにそれぞれ形成されている。そして、各枠部材２１〜２４は、小口２１ａ〜２４ａ同士を突き合わせて溶着することにより四周枠組みされている（図１）。
本実施の形態では、各枠部材２１〜２４のうち、上枠２１における下方側（窓枠２の内周側）の面には、換気装置５が取り付けられている。
なお、換気装置５の詳細な構成については後述する。
【００２１】
外障子３は、内障子４に対して室外側に位置し、換気装置５及び各枠部材２２〜２４で囲まれる開口部に対して図１，図４中、左右方向に移動可能に取り付けられている。この外障子３は、ガラス材等で構成された面材３１と、框体３２とを備える。
框体３２は、上框３３と、下框３４と、戸先框３５と、召合せ框３６とを框組みすることにより構成され、内部で面材３１の外周縁部を保持する。
これら各框部材３３〜３６は、塩化ビニル樹脂（ＰＶＣ）等の樹脂製の押出形材であり、全長に亘って略同一の断面形状を有する。また、各框部材３３〜３６は、略同一の断面形状を有する。そして、各框部材３３〜３６は、当該各框部材３３〜３６の長手方向に対して４５°の角度を成すようにそれぞれ形成された各小口３３ａ〜３６ａを有し、小口３３ａ〜３６ａ同士を突き合わせて溶着することにより框組みされている（図１）。
内障子４は、換気装置５及び各枠部材２２〜２４で囲まれる開口部に対して図１，図４中、左右方向に移動可能に取り付けられている。この内障子４は、外障子３における面材３１及び框体３２（上框３３、下框３４、戸先框３５、及び召合せ框３６）と同様の面材４１及び框体４２（上框４３、下框４４、戸先框４５、及び召合せ框４６）を備える。
【００２２】
図５は、換気装置５を示す斜視図である。図６は、操作摘み９を閉鎖位置に位置付けた状態での換気装置５の縦断面図である。図７は、操作摘み９を開放位置に位置付けた状態での換気装置５の縦断面図である。
換気装置５は、中空部６と、室外側ユニット７と、室内側ユニット８と、操作摘み９とを備える。
中空部６は、上壁部６１と、下壁部６２と、室外側壁部６３と、室内側壁部６４とで構成され、上枠２１における基体２１１の長手方向に延在した角筒形状を有する。この中空部６は、塩化ビニル樹脂（ＰＶＣ）等の樹脂製の押出形材であり、全長に亘って略同一の断面形状を有する。ここで、中空部６における長手方向の長さ寸法は、左縦枠２３における内周側（図１，図４中、右側）の見込み面から右縦枠２４における内周側（図１，図４中、左側）の見込み面までの離間寸法と略同一に設定されている。また、中空部６の見込み寸法（室外側壁部６３における室外側の見付け面から室内側壁部６４における室内側の見付け面までの離間寸法）は、上枠２１の見込み寸法（第１壁部２１２における室外側の見付け面から第２壁部２１３における室内側の見付け面までの離間寸法）と略同一に設定されている。
なお、中空部６の小口は、キャップ材６ａ，６ｂが取り付けられることにより閉塞される。
【００２３】
上壁部６１には、第１，第２嵌合部６１１，６１２と、第１，第２係止突起部６１３，６１４と、第１，第２溝部６１５，６１６とが設けられている。
第１，第２嵌合部６１１，６１２は、上壁部６１における室外側及び室内側の位置から上方側にそれぞれ突出した部分である。
第１係止突起部６１３は、第１嵌合部６１１の上方側の面から上方側に突出した部分であり、先端部分に室内側に屈曲した爪部６１３ａが設けられている。同様に、第２係止突起部６１４は、第２嵌合部６１２の上方側の面から上方側に突出した部分であり、先端部分に室外側に屈曲した爪部６１４ａが設けられている。
第１溝部６１５は、上壁部６１において、第１嵌合部６１１に対して室内側に連設され、下方側に窪んだ部分である。同様に、第２溝部６１６は、上壁部６１において、第２嵌合部６１２に対して室外側に連設され、下方側に窪んだ部分である。これら第１，第２溝部６１５，６１６内には、中空部６の全長に亘って止水材６１７，６１８が配設されている。
【００２４】
下壁部６２における下方側（窓枠２の内周側）の面は、上枠２１における下方側（窓枠２の内周側）の面と同一の断面形状を有する。具体的に、下壁部６２における下方側の面には、上枠２１における第１〜第４壁部２１２〜２１５と同様の第１〜第４壁部２１２´〜２１５´が設けられている。
そして、外障子３及び内障子４は、換気装置５における第３，第４壁部２１４´，２１５´と下枠２２における第３，第４壁部２１４，２１５とにより図１，図４中、左右方向に移動可能にそれぞれ案内される。
【００２５】
室外側壁部６３には、中空部６の内外を連通する通気孔６３１が当該中空部６の長手方向に沿って複数、並設されている。同様に、室内側壁部６４には、中空部６の内外を連通する通気孔６４１が当該中空部６の長手方向に沿って複数、並設されている。さらに、室外側壁部６３における室内側の見付け面には、中空部６の長手方向に沿って延在するプレート部材６３２が取り付けられている。このプレート部材６３２には、通気孔６３３が当該プレート部材６３２の長手方向に沿って複数、並設されている。なお、通気孔６３１は、中空部６の長手方向における幅が通気孔６３３よりも広く形成されている。また、室内側壁部６４には、通気孔６３１から通気孔６４１を通る気流中の塵埃等を捕集するフィルタ６４２が取り付けられている。
【００２６】
室外側ユニット７は、第１支持部材７１と、第１開閉部材７２とを備える。
第１支持部材７１は、アルミニウム等の金属製の押出部材であり、全長に亘って略同一の断面形状を有する。そして、第１支持部材７１は、中空部６の内部において、室外側壁部６３に対向するように配設され、当該内部の空間を室外側の空間と室内側の空間とに区画する。この第１支持部材７１には、当該室外側の空間と当該室内側の空間とを連通する連通孔７１１が当該第１支持部材７１の長手方向に沿って複数、並設されている。
第１開閉部材７２は、第１支持部材７１に対して上下方向に移動可能に取り付けられ、上方側に移動することにより連通孔７１１を開放し、下方側に移動することにより連通孔７１１を閉塞する。
【００２７】
室内側ユニット８は、第２支持部材８１と、第２開閉部材８２とを備える。
第２支持部材８１は、アルミニウム等の金属製の押出部材であり、全長に亘って略同一の断面形状を有する。そして、第２支持部材８１は、中空部６の内部において、室内側壁部６４における室外側の見付け面に沿って配設されている。この第２支持部材８１には、室内側壁部６４における通気孔６４１に対向する位置に連通孔８１１が形成されている。
第２開閉部材８２は、第２支持部材８１に対して当該第２支持部材８１の長手軸を中心として回動可能に取り付けられ、連通孔８１１を開閉する。
【００２８】
操作摘み９は、一部が室内側壁部６４から中空部６外部に露出し、ユーザによる操作に応じて、中空部６の長手方向に沿って閉鎖位置または開放位置に移動する。
そして、操作摘み９が閉鎖位置に位置付けられた場合には、第１開閉部材７２は、連動機構（図示略）を介して当該操作摘み９の移動に連動し、連通孔７１１を閉塞する（図６）。また、第２開閉部材８２は、連動機構（図示略）を介して当該操作摘み９の移動に連動し、連通孔８１１を閉塞する（図６）。
一方、操作摘み９が開放位置に位置付けられた場合には、第１開閉部材７２は、連動機構（図示略）を介して当該操作摘み９の移動に連動し、連通孔７１１を開放する（図７）。また、第２開閉部材８２は、連動機構（図示略）を介して当該操作摘み９の移動に連動し、連通孔８１１を開放する（図７）。これにより、図７に矢印で示したように、室外の空気は、通気孔６３１〜通気孔６３３〜連通孔７１１〜連通孔８１１〜通気孔６４１の経路を辿って、換気装置５を介して室内に流れ込む。
【００２９】
次に、上述した換気装置５の取付方法について説明する。
図８は、換気装置５の取付方法を説明する図である。
先ず、作業者は、換気装置５を手で持ち、左縦枠２３及び右縦枠２４の間に当該換気装置５を挿入するとともに、当該換気装置５を上方に持ち上げる。そして、作業者は、第１嵌合部６１１を上枠２１における第１，第３壁部２１２，２１４間に嵌合させるとともに、第２嵌合部６１２を上枠２１における第２，第４壁部２１３，２１５間に嵌合させる。この際、上枠２１における第３，第４壁部２１４，２１５は、換気装置５に設けられた止水材６１７，６１８にそれぞれ当接する。また、第１係止突起部６１３の爪部６１３ａは、当該第３壁部２１４における室外側の見付け面に設けられた爪部２１４ｂに係止される。同様に、第２係止突起部６１４の爪部６１４ａは、当該第４壁部２１５における室内側の見付け面に設けられた爪部２１５ｂに係止される。これにより、換気装置５は、上枠２１に対して仮固定される。すなわち、本実施の形態では、上枠２１に対して換気装置５をスナップイン方式で装着する構造を採用している。なお、第１，第２係止突起部６１３，６１４及び爪部２１４ｂ，２１５ｂは、本発明に係る係合構造に相当する。
【００３０】
次に、作業者は、下壁部６２における第３，第４壁部２１４´，２１５´の間に形成された貫通孔（図示略）を介して、カラー１００を中空部６の内部に挿入し、当該カラー１００を上壁部６１及び下壁部６２間に架け渡す。また、作業者は、換気装置５の下方側からカラー１００内に固定ネジ２００を挿通するとともに、上壁部６１に形成された貫通孔６１９（図５）を介して、上枠２１における第３，第４壁部２１４，２１５の間に設けられたブラケット３００に当該固定ネジ２００を締結する。これにより、換気装置５は、上枠２１に対して本固定される。なお、固定ネジ２００は、本発明に係る締結部材に相当する。
【００３１】
なお、第１嵌合部６１１の上方側の面において、中空部６における長手方向の両端部には、塵埃等を捕集する捕集部材４００が取り付けられている。また、上壁部６１における第１，第２溝部６１５，６１６の間において、中空部６における長手方向の両端部には、捕集部材４００と同様の捕集部材５００が取り付けられている。このため、上枠２１に対して換気装置５を取り付けた状態では、第１嵌合部６１１と上枠２１における基体２１１、第１，第３壁部２１２，２１４で囲まれる筒状の空間の両端部は、捕集部材４００にて閉塞される。また、上壁部６１と上枠２１における基体２１１、第３，第４壁部２１４，２１５で囲まれる筒状の空間の両端部は、捕集部材５００にて閉塞される。
【００３２】
ここまで、本発明を実施するための形態を説明してきたが、本発明は上述した実施の形態によってのみ限定されるべきものではない。
上述した実施の形態では、本発明に係る建具として引違い窓を例示したが、これに限らない。例えば、３枚以上の障子が左右方向にスライドする引違い方式の窓や両袖片引き窓や引き分け窓、枠体内の領域が縦骨により区分けされ、区分けされた一方の領域がＦＩＸ窓や壁をなす片引き窓、障子が上下方向にスライド移動する上げ下げ窓、障子が見込み方向に開閉するすべり出し窓、１枚の障子をはめ殺したはめ殺し窓、勝手口ドア、玄関ドア、あるいは、カーテンウォール等、各種の建具で構成しても構わない。
【００３３】
上述した実施の形態では、本発明に係る枠体として窓枠２を例示したが、これに限らない。長尺状の複数の枠部材がそれぞれ溶着することにより枠組みされた枠体であれば、例えば、本発明に係る枠体として框体３２，４２を採用しても構わない。すなわち、本発明に係る換気装置を框体３２，４２に取り付けても構わない。また、小口２１ａ〜２４ａ，３３ａ〜３６ａは、各枠部材２１〜２４，３３〜３６の長手方向に対して４５°を成すようにそれぞれ形成されていたが、これに限らず、その他の角度を成すようにそれぞれ形成しても構わない。また、小口２１ａ〜２４ａ，３３ａ〜３６ａは、各枠部材２１〜２４，３３〜３６の長手方向に対して交差する平面にて切断された形状に限らず、曲面にて切断された形状や、室内側または室外側から見て段差を有する段付き形状になっていても構わない。
【００３４】
上述した実施の形態では、本発明に係る換気装置を上枠２１における窓枠２の内周側（下方側）の面に取り付けていたが、これに限らない。本発明に係る枠体を構成する複数の枠部材のいずれかの枠部材、例えば、各枠部材２２〜２４、各框部材３３〜３６，４３〜４６のいずれかにおける枠体の内周側の面に本発明に係る換気装置を取り付けても構わない。ここで、下枠２２における枠体の内周側の面とは、下枠２２における上方側の面を意味する。左縦枠２３における枠体の内周側の面とは、左縦枠２３における図１，図４中、右側の面を意味する。右縦枠２４における枠体の内周側の面とは、右縦枠２４における図１，図４中、左側の面を意味する。上框３３，４３における枠体の内周側の面とは、上框３３，４３における下方側の面を意味する。下框３４，４４における枠体の内周側の面とは、下框３４，４４における上方側の面を意味する。戸先框３５，４５における枠体の内周側の面とは、戸先框３５，４５における召合せ側の面を意味する。召合せ框３６，４６における枠体の内周側の面とは、召合せ框３６，４６における戸先側の面を意味する。
【符号の説明】
【００３５】
１  建具、２  窓枠（枠体）、５  換気装置、２１  上枠（枠部材）、２１ａ〜２４ａ  小口、２２  下枠（枠部材）、２３  左縦枠（枠部材）、２４  右縦枠（枠部材）、２００  固定ネジ（締結部材）、２１４ｂ，２１５ｂ  爪部（係合構造）、３００  ブラケット、６１３，６１４  第１，第２係止突起部（係合構造）、６３１，６４１  通気孔
【図１】
2018193769.tif 000003
【図２】
2018193769.tif 000004
【図３】
2018193769.tif 000005
【図４】
2018193769.tif 000006
【図５】
2018193769.tif 000007
【図６】
2018193769.tif 000008
【図７】
2018193769.tif 000009
【図８】
2018193769.tif 000010